(57)【要約】【課題】合併症の危険性がなく、神経を保全した状態で高血圧等の治療を効果的に行うことができる自律神経制御装置および腎交感神経制御装置を提供する。【解決手段】冷却手段１１が、腎交感神経の神経束１を冷却可能に、使用者の体内に埋設されるよう構成されている。冷却手段１１は、ペルチェ素子２１を有し、神経束１の外面を冷却可能に、ペルチェ素子２１の吸熱側の面を神経束１に向け、神経束１の外周に沿って神経束１の少なくとも一部を囲うよう構成されている。また、冷却手段１１は、ペルチェ素子２１の放熱側の面から放出される熱を、神経束１の近傍を通る腹部大動脈２や腎動脈３もしくは尿管４、または腹膜に伝導可能に構成されている。駆動手段１２が、神経束１を冷却することにより腎交感神経活動を低下させるよう、冷却手段１１を駆動するよう構成されている。【選択図】図２
2014018508.tif 000002
【特許請求の範囲】
【請求項１】
自律神経である交感神経または副交感神経の神経束の温度を制御可能に、使用者の体内に埋設される温度制御手段と、
前記温度制御手段を駆動する駆動手段とを、
有することを特徴とする自律神経制御装置。
【請求項２】
請求項１記載の自律神経制御装置を有し、
前記温度制御手段は、腎交感神経の神経束を冷却可能に、使用者の体内に埋設される冷却手段を有し、
前記駆動手段は、前記神経束を冷却することにより腎交感神経活動を低下させるよう、前記冷却手段を駆動するよう構成されていることを
特徴とする腎交感神経制御装置。
【請求項３】
前記冷却手段は、前記神経束の外面を冷却可能に、前記神経束の外周に沿って前記神経束の少なくとも一部を囲うよう構成されていることを特徴とする請求項２記載の腎交感神経制御装置。
【請求項４】
前記冷却手段はペルチェ素子を有し、前記ペルチェ素子の放熱側の面が吸熱側の面より大きい面積を有し、前記吸熱側の面を前記神経束に向けて配置可能であることを特徴とする請求項２または３記載の腎交感神経制御装置。
【請求項５】
前記冷却手段はペルチェ素子を有し、前記ペルチェ素子の吸熱側の面を前記神経束に向けて配置可能であり、放熱側の面から放出される熱を、前記神経束の近傍を通る動脈もしくは尿管、または腹膜に伝導可能に構成されていることを特徴とする請求項２乃至４のいずれか１項に記載の腎交感神経制御装置。
【請求項６】
前記温度制御手段は、腎交感神経の神経束を加熱可能に、使用者の体内に埋設される加熱手段を有し、
前記駆動手段は、前記神経束を加熱することにより自律神経活動を活発化させるよう、前記加熱手段を駆動するよう構成されていることを
特徴とする請求項２乃至５のいずれか１項に記載の腎交感神経制御装置。
【請求項７】
前記駆動手段は、前記温度制御手段を駆動可能に前記使用者の体内に配置されるバッテリーと、前記使用者の体外から前記バッテリーのＯＮ／ＯＦＦを制御可能なスイッチとを有するシステム、または、前記温度制御手段にエネルギーを供給可能に、前記使用者の体内に配置される２次コイルと、前記使用者の体外に配置され、前記２次コイルに非破壊的にエネルギーを供給可能な１次コイルとを有する経皮エネルギー伝送システムから成ることを特徴とする請求項２乃至６のいずれか１項に記載の腎交感神経制御装置。
【請求項８】
前記使用者の血圧を含む血流に関するデータ、および／または、前記使用者の自律神経活動に関するデータを取得するセンサと、
前記駆動手段を制御することにより、前記センサで取得したデータが健常者の値に近づくよう腎交感神経活動を制御可能に設けられた制御部とを、
有することを特徴とする請求項２乃至７のいずれか１項に記載の腎交感神経制御装置。
【発明の詳細な説明】
【技術分野】
【０００１】
本発明は、自律神経制御装置および腎交感神経制御装置に関する。
【背景技術】
【０００２】
従来、高血圧の治療には、塩分制限、減量などの生活指導や、薬剤による加療が行われていた。しかし、薬剤加療は、事実上一生続けなくてはならないことも多く、患者の経済負担が大きく、国家経済的にも医療費負担が莫大になっていくことになる。また、高血圧症患者の１０％程度（約３００万人）は、薬剤による治療が困難である薬剤抵抗性の高血圧患者であり、薬剤を３種類、４種類と組み合わせても、血圧のコントロールに難渋する症例も非常に多い。
【０００３】
そこで、薬剤加療に代わる高血圧の治療法として、または、薬剤抵抗性の高血圧に対する治療法として、適応がある場合には、副腎腫瘍の手術や、交感神経の切断手術、カテーテルによる手術（例えば、特許文献１参照）、腎動脈を介した腎交感神経のアブレーション治療（例えば、非特許文献１参照）などが考案されている。なお、高血圧を放置すれば、脳卒中、狭心症や心筋梗塞などの虚血性心疾患発作、解離性大動脈瘤、腎機能不全、心不全などの心血管イベント発作といった致死的な合併症を招く可能性が高い（例えば、非特許文献２参照）。
【先行技術文献】
【特許文献】
【０００４】
【特許文献１】特表２０１１−５０５９６３号公報
【非特許文献】
【０００５】
【非特許文献１】福田英克、木村玄次郎、「医学と医療の最前線  腎動脈交感神経アブレーションによる循環器病治療（解説）」、日本内科学会雑誌、2011年8月、第100巻、第8号、p.2289-2294
【非特許文献２】石光俊彦、阿部麗子、矢野秀樹、「高血圧治療の最新エビデンスとガイドライン（解説／特集）」、Medical Science Digest、2011年6月、第37巻、第6号、p.222-225
【発明の概要】
【発明が解決しようとする課題】
【０００６】
高血圧患者に対する副腎腫瘍の手術や、交感神経の切断手術、特許文献１に記載のカテーテルによる手術、非特許文献１に記載の腎交感神経のアブレーション治療などの外科手術治療は、副腎に問題がない場合には適応することができず、また合併症の危険性があるという課題があった。なお、非特許文献１に記載の腎交感神経のアブレーション治療は、医学的に未だ確立された手術ではなく、日本では行われていない。また、アブレーション後に患者が菌血症などにより敗血症ショックになった時には、ナトリウム再吸収が阻害され、ショックから回復できない。このため、人体のホメオスタシスを維持するためには、腎交感神経アブレーション治療等の神経を取り除く不可逆的な方法とは異なる治療法が望まれている。
【０００７】
本発明は、このような課題に着目してなされたもので、合併症の危険性がなく、神経を保全した状態で高血圧等の治療を効果的に行うことができる自律神経制御装置および腎交感神経制御装置を提供することを目的としている。
【課題を解決するための手段】
【０００８】
本発明に係る自律神経制御装置は、自律神経である交感神経または副交感神経の神経束の温度を制御可能に、使用者の体内に埋設される温度制御手段と、前記温度制御手段を駆動する駆動手段とを、有することを特徴とする。
【０００９】
本発明に係る自律神経制御装置は、交感神経束や副交感神経束に幅広く使用することができ、自律神経機能疾患を治療することができる。本発明に係る自律神経制御装置は、温度制御手段により、神経束を冷却して自律神経活動を低下させたり、神経束を加熱して自律神経活動を活発化させたりすることができ、高血圧等の自律神経活動が関わる様々な病態に対する治療効果を得ることができる。
【００１０】
本発明に係る自律神経制御装置は、埋め込み型で可逆的な温度制御が可能であり、症状が現れたときにのみ温度制御することにより、患者への負荷が少ない。また、神経を取り除くものとは異なり、神経を保全した状態で治療を行うため、合併症の危険性がなく、安全である。また、人体の自律神経機能を維持することができる。
【００１１】
本発明に係る自律神経制御装置は、一旦、埋め込み手術を行った後は、薬を飲む必要がなくなったり、薬を大幅に削減したりすることができるため、使用者の経済負担を軽減することができる。また、薬剤費が大きな部分を占める日本における国家医療財政上でも、莫大な医療費削減効果が得られ、ひいては世界的にも大きな医療経済の軽減効果が期待できる。
【００１２】
本発明に係る腎交感神経制御装置は、本発明に係る自律神経制御装置を有し、前記温度制御手段は、腎交感神経の神経束を冷却可能に、使用者の体内に埋設される冷却手段を有し、前記駆動手段は、前記神経束を冷却することにより腎交感神経活動を低下させるよう、前記冷却手段を駆動するよう構成されていることを特徴とする。
【００１３】
本発明に係る腎交感神経制御装置は、駆動手段により冷却手段を駆動し、冷却手段により使用者の腎交感神経の神経束を冷却することができ、腎交感神経活動を低下させることができる。このため、血圧が高いときに腎交感神経の冷却を行うことにより、腎動脈の緊張をほぐして血管を拡張させ、血圧を下げることができる。このように、本発明に係る腎交感神経制御装置は、高血圧の治療を効果的に行うことができる。
【００１４】
本発明に係る腎交感神経制御装置は、血圧反射機能異常を伴う本態性高血圧の治療を効果的に行うことができるため、心血管イベントの発生を抑えることで、使用者の健康長寿に貢献することができる。また、心不全の病態では、自律神経の遮断により治療効果が得られることが広く報告されており、心不全に対する治療効果も期待できる。腎不全の病態でも、腎前性腎不全は、腎動脈の狭窄によるため、本発明に係る腎交感神経制御装置による自律神経制御により、腎機能を改善することができ、腎不全に対する治療効果も期待できる。このため、本発明に係る腎交感神経制御装置は、心不全、腎不全の患者にも大きな福音となる。
【００１５】
このように、本発明に係る腎交感神経制御装置は、完全埋め込み型で、高血圧、心不全、腎不全等の病態に対し、腎交感神経を冷却装置で一過性に冷却して治療することができる全く新しい治療法を提供するものであり、何種類も薬剤を飲んでも治療できない重症高血圧等の患者さんに新しい治療の選択肢を与えることができる。
【００１６】
本発明に係る腎交感神経制御装置で、前記冷却手段は、前記神経束の外面を冷却可能に、前記神経束の外周に沿って前記神経束の少なくとも一部を囲うよう構成されていることが好ましい。この場合、腎交感神経の神経束を効果的に冷却することができ、治療効果を高めることができる。
【００１７】
本発明に係る腎交感神経制御装置で、前記冷却手段はペルチェ素子を有し、前記ペルチェ素子の放熱側の面が吸熱側の面より大きい面積を有し、前記吸熱側の面を前記神経束に向けて配置可能であることが好ましい。この場合、ペルチェ素子を利用することにより冷却手段の小型化を図ることができ、使用者の負担を軽減することができる。また、放熱側の面を大きくすることにより、冷却に伴って発生する熱の放熱効率を高めることができる。これにより、熱による使用者の人体への影響を抑えるとともに、ペルチェ素子による冷却効率を高めることができる。
【００１８】
本発明に係る腎交感神経制御装置で、前記冷却手段はペルチェ素子を有し、前記ペルチェ素子の吸熱側の面を前記神経束に向けて配置可能であり、放熱側の面から放出される熱を、前記神経束の近傍を通る動脈もしくは尿管、または腹膜に伝導可能に構成されていてもよい。この場合、動脈の血液循環や、尿の排出、血流が豊富な腹膜での血液循環を利用して、冷却に伴って発生する熱を素早く拡散・排出することができ、熱による使用者の人体への影響を抑えることができる。
【００１９】
本発明に係る腎交感神経制御装置で、前記温度制御手段は、腎交感神経の神経束を加熱可能に、使用者の体内に埋設される加熱手段を有し、前記駆動手段は、前記神経束を加熱することにより自律神経活動を活発化させるよう、前記加熱手段を駆動するよう構成されていてもよい。この場合、冷却手段により自律神経活動を低下させるだけでなく、加熱手段により自律神経活動を活発化させることもできる。このため、血圧の低下および上昇を細かく制御することができる。加熱手段は、ペルチェ素子を有し、ペルチェ素子の放熱側の面を神経束に向けて配置し、吸熱側の面の低温を、神経束の近傍を通る動脈もしくは尿管、または腹膜に伝導可能であってもよい。この場合、吸熱側の面の低温を素早く拡散・排出することができ、低温による使用者の人体への影響を抑えることができる。
【００２０】
本発明に係る腎交感神経制御装置で、前記駆動手段は、前記温度制御手段を駆動可能に前記使用者の体内に配置されるバッテリーと、前記使用者の体外から前記バッテリーのＯＮ／ＯＦＦを制御可能なスイッチとを有するシステム、または、前記温度制御手段にエネルギーを供給可能に、前記使用者の体内に配置される２次コイルと、前記使用者の体外に配置され、前記２次コイルに非破壊的にエネルギーを供給可能な１次コイルとを有する経皮エネルギー伝送システムから成ることが好ましい。この場合、使用者の体外から、腎交感神経の神経束の温度を制御することができる。このため、例えば、血圧が高いときや、心不全をきたしたとき、腎不全をきたしたときに、使用者自身が自分で判断を行い、バッテリーのスイッチをＯＮにしたり、体外から１次コイルを皮膚に接触させたりすることにより、埋め込まれた冷却手段を稼働させて腎交感神経の神経束を冷却することができる。このように、必要な時だけに、使用者自身の判断で、非侵襲的に、高血圧や心不全、腎不全等を治療することができる。
【００２１】
本発明に係る腎交感神経制御装置は、前記使用者の血圧を含む血流に関するデータ、および／または、前記使用者の自律神経活動に関するデータを取得するセンサと、前記駆動手段を制御することにより、前記センサで取得したデータが健常者の値に近づくよう腎交感神経活動を制御可能に設けられた制御部とを、有していてもよい。この場合、自動血圧モニターのデータや、交感神経や副交感神経束に直接接触させた電極により得られた自律神経活動記録のデータ等に基づいて、腎交感神経活動を自動で制御して、高血圧や腎不全、心不全等を治療することができる。
【発明の効果】
【００２２】
本発明によれば、合併症の危険性がなく、神経を保全した状態で高血圧等の治療を効果的に行うことができる自律神経制御装置および腎交感神経制御装置を提供することができる。
【図面の簡単な説明】
【００２３】
【図１】本発明の実施の形態の腎交感神経制御装置を示す斜視図である。
【図２】図１に示す腎交感神経制御装置の使用状態を示す斜視図である。
【図３】腎交感神経活動の時系列記録の一例を示す、（ａ）心電図（ＥＣＧ）、（ｂ）大動脈圧（ＡＯＰ）、（ｃ）左心房圧（ＬＡＰ）、（ｄ）積分された腎交感神経活動波形（ｉｎｔｅｇｒａｔｅｄ  Ｎｅｕｒｏｇｒａｍ）、（ｅ）腎交感神経活動波形（Ｎｅｕｒｏｇｒａｍ）のグラフである。
【図４】図１に示す腎交感神経制御装置による（ａ）腎交感神経の冷却前、（ｂ）腎交感神経の冷却後の腎交感神経活動波形のグラフである。
【発明を実施するための形態】
【００２４】
以下、図面に基づき、本発明の実施の形態について説明する。
図１乃至図４は、本発明の実施の形態の自律神経制御装置および腎交感神経制御装置を示している。なお、本発明の実施の形態の腎交感神経制御装置は、本発明の実施の形態の自律神経制御装置のうち、腎交感神経の神経束の温度を制御可能に構成されたものである。
図１および図２に示すように、腎交感神経制御装置１０は、冷却手段１１と駆動手段１２とを有している。
【００２５】
図１に示すように、冷却手段１１は、矩形板状のペルチェ素子２１と、ペルチェ素子２１の吸熱面に接して取り付けられた冷却部２２と、ペルチェ素子２１の放熱面に接して取り付けられた加熱部２３とを有している。冷却手段１１は、ペルチェ素子２１の幅方向の断面形状が、ペルチェ素子２１の長さ方向に沿って同じ形状を保つよう形成されている。冷却部２２は、ペルチェ素子２１の幅方向の断面形状が、ベルチェ素子の吸熱面を底辺とする三角形状を成し、その三角形の中心から頂点にかけて、ペルチェ素子２１の長さ方向に沿って伸びる円筒状の神経束用溝２４を有している。神経束用溝２４は、半円よりも長い円弧状の断面を有し、ペルチェ素子２１とは反対の頂点側で開口している。冷却部２２は、神経束用溝２４の内面が冷却面２５となっている。
【００２６】
加熱部２３は、ペルチェ素子２１の幅方向の断面形状が、ベルチェ素子の放熱面を一辺とする矩形状を成し、その矩形の中心から、ベルチェ素子とは反対側の辺にかけて、ペルチェ素子２１の長さ方向に沿って伸びる円筒状の動脈用溝２６を有している。動脈用溝２６は、半円よりも長い円弧状の断面を有し、ペルチェ素子２１とは反対側の辺で開口している。動脈用溝２６は、神経束用溝２４よりも大きい径を有している。加熱部２３は、動脈用溝２６の内面が加熱面２７となっており、加熱面２７が冷却面２５よりも大きい面積を有している。
【００２７】
図２に示すように、冷却手段１１は、腎交感神経の神経束１を冷却可能に、使用者の体内に埋設されるようになっている。冷却手段１１は、冷却部２２の神経束用溝２４の中に神経束１を挿入して、神経束１の外周に沿って神経束１の一部を囲うよう配置される。これにより、冷却手段１１は、神経束１の外面を冷却可能になっている。また、冷却手段１１は、加熱部２３の動脈用溝２６の中に、神経束１の近傍を通る腹部大動脈２や腎動脈３を挿入して配置される。これにより、冷却手段１１は、加熱面２７から放出される熱を、腹部大動脈２や腎動脈３に伝導可能になっている。
【００２８】
図１に示すように、駆動手段１２は、経皮エネルギー伝送システムから成り、１次コイル２８と２次コイル２９とを有している。２次コイル２９は、冷却手段１１にエネルギーを供給可能に、冷却手段１１に接続されている。２次コイル２９は、冷却手段１１とともに使用者の体内に配置されるようになっている。１次コイル２８は、使用者の体外に配置され、２次コイル２９に非破壊的にエネルギーを供給可能に構成されている。
【００２９】
次に、作用について説明する。
腎交感神経制御装置１０は、主に高血圧の治療を行うために、冷却手段１１と２次コイル２９とを使用者の体内に埋め込んで使用される。埋め込むには、まず、図２に示すように、丁寧に後腹膜を剥離して腎臓４の近傍の腎動脈３を露出し、そこへ向かう腎交感神経の周囲に冷却手段１１と２次コイル２９とを配置する。このとき、冷却部２２の神経束用溝２４の中に神経束１を挿入し、加熱部２３の動脈用溝２６の中に、神経束１の近傍を通る腹部大動脈２や腎動脈３を挿入する。その後、層別に縫合を行い、埋め込み手術を終了する。
【００３０】
腎交感神経制御装置１０は、駆動手段１２により冷却手段１１を駆動し、冷却手段１１により使用者の腎交感神経の神経束１を、その機能を保持したまま冷却することができ、腎交感神経活動を低下させることができる。このため、血圧が高いときに腎交感神経の冷却を行うことにより、腎動脈３の緊張をほぐして血管を拡張させ、腎機能を改善し、尿量を増加させ、血圧を下げることができる。このように、腎交感神経制御装置１０は、高血圧の治療を効果的に行うことができる。
【００３１】
腎交感神経制御装置１０は、血圧反射機能異常を伴う本態性高血圧の治療を効果的に行うことができるため、心血管イベントの発生を抑えることで、使用者の健康長寿に貢献することができる。また、心不全の病態では、自律神経の遮断により治療効果が得られることが広く報告されており、心不全に対する治療効果も期待できる。腎不全の病態でも、腎前性腎不全は、腎動脈の狭窄によるため、腎交感神経制御装置１０による自律神経制御により、腎機能を改善することができ、腎不全に対する治療効果も期待できる。このため、腎交感神経制御装置１０は、心不全、腎不全の患者にも大きな福音となる。
【００３２】
このように、腎交感神経制御装置１０は、完全埋め込み型で、高血圧、心不全、腎不全等の病態に対し、腎交感神経を冷却手段１１で一過性に冷却して治療することができる全く新しい治療法を提供するものであり、何種類も薬剤を飲んでも治療できない重症高血圧等の患者さんに新しい治療の選択肢を与えることができる。
【００３３】
腎交感神経制御装置１０は、埋め込み型で可逆的な温度制御が可能であり、症状が現れたときにのみ温度制御することにより、患者への負荷が少ない。また、神経を取り除くものとは異なり、神経を保全した状態で治療を行うため、合併症の危険性がなく、安全である。また、人体の自律神経機能を維持することができる。
【００３４】
腎交感神経制御装置１０は、一旦、埋め込み手術を行った後は、薬を飲む必要がなくなったり、薬を大幅に削減したりすることができるため、使用者の経済負担を軽減することができる。また、薬剤費が大きな部分を占める日本における国家医療財政上でも、莫大な医療費削減効果が得られ、ひいては世界的にも大きな医療経済の軽減効果が期待できる。
【００３５】
腎交感神経制御装置１０は、ペルチェ素子２１を利用しているため、冷却手段１１の小型化を図ることができ、使用者の負担を軽減することができる。また、ペルチェ素子２１は、熱輸送電子素子であり、熱は吸熱面から放熱面へと移送される。したがって、腎交感神経が冷却されると同時に、熱は反対側の加熱部２３へ輸送される。このため、加熱面２７を大きくすることにより、冷却に伴って発生する熱の放熱効率を高めることができる。また、加熱面２７から腹部大動脈２や腎動脈３に熱を伝導することにより、動脈の血液循環を利用して、冷却に伴って発生する熱を素早く拡散・排出することができる。これにより、熱による使用者の人体への影響を抑えるとともに、ペルチェ素子２１による冷却効率を高めることができる。
【００３６】
腎交感神経制御装置１０は、駆動手段１２が経皮エネルギー伝送システムから成り、体外から１次コイル２８を皮膚に接触させるだけで、埋め込まれた冷却手段１１を稼働させて腎交感神経の神経束１を冷却することができる。例えば、血圧が高いときや、心不全をきたしたとき、腎不全をきたしたときに、使用者自身が自分で判断を行い、体外から１次コイル２８を皮膚に接触させることにより、冷却手段１１を稼働させて腎交感神経の神経束１を冷却することができる。このように、必要な時だけに、使用者自身の判断で、非侵襲的に、高血圧や心不全、腎不全等を治療することができる。
【００３７】
なお、駆動手段１２は、冷却手段１１を駆動可能に使用者の体内に配置されるバッテリーと、使用者の体外からバッテリーのＯＮ／ＯＦＦを制御可能なスイッチとを有するシステムから成っていてもよい。この場合にも、バッテリーのスイッチをＯＮにするだけで、埋め込まれた冷却手段１１を稼働させて腎交感神経の神経束１を冷却することができ、必要な時だけに、使用者自身の判断で、非侵襲的に、高血圧や心不全、腎不全等を治療することができる。
【００３８】
また、腎交感神経制御装置１０は、加熱部２３の動脈用溝２６の中に、神経束１の近傍を通る尿管５を挿入したり、加熱部２３を腹膜に接触させたりすることにより、加熱部２３から放出される熱を、尿管５または腹膜に伝導可能であってもよい。この場合、尿の排出や、血流が豊富な腹膜での血液循環を利用して、冷却に伴って発生する熱を素早く拡散・排出することができ、熱による使用者の人体への影響を抑えることができる。
【００３９】
また、腎交感神経制御装置１０は、腎交感神経の神経束１を加熱可能に、使用者の体内に埋設される加熱手段を有し、駆動手段１２が、神経束１を加熱することにより自律神経活動を活発化させるよう、加熱手段も駆動するよう構成されていてもよい。この場合、冷却手段１１により自律神経活動を低下させるだけでなく、加熱手段により自律神経活動を活発化させることもできる。このため、血圧の低下および上昇を細かく制御することができる。加熱手段は、ペルチェ素子２１を有し、ペルチェ素子２１の放熱面を神経束１に向けて配置し、吸熱面の低温を、神経束１の近傍を通る腹部大動脈２や腎動脈３もしくは尿管５、または腹膜に伝導可能であってもよい。
【００４０】
また、腎交感神経制御装置１０は、使用者の血圧を含む血流に関するデータ、および／または、使用者の自律神経活動に関するデータを取得するセンサと、駆動手段１２を制御することにより、センサで取得したデータが健常者の値に近づくよう腎交感神経活動を制御可能に設けられた制御部とを、有していてもよい。この場合、図３の腎交感神経活動の時系列記録に示すような、自動血圧モニターのデータや、交感神経や副交感神経束に直接接触させた電極により得られた自律神経活動記録のデータ等に基づいて、制御部の自動制御アルゴリズムにより腎交感神経活動を自動で制御して、高血圧や腎不全、心不全等を治療することができる。腎交感神経の活動に関するデータは、例えば、心拍変動やふくらはぎの神経から得ることもできる。
【００４１】
なお、腎交感神経制御装置１０は、腎交感神経だけでなく、他の自律神経である交感神経または副交感神経の神経束の温度を制御可能な自律神経制御装置として使用されてもよい。この場合、交感神経束や副交感神経束に幅広く使用することができ、自律神経機能疾患を治療することができる。また、神経束を冷却して自律神経活動を低下させたり、神経束を加熱して自律神経活動を活発化させたりすることにより、自律神経活動が関わる様々な病態に対する治療効果を得ることができる。
【実施例１】
【００４２】
腎交感神経制御装置１０をヤギに取り付けて、ヤギの腎交感神経を３６℃から２６℃まで短時間（瞬時）で冷却した。冷却前と冷却後の腎交感神経活動波形を、それぞれ図４（ａ）および（ｂ）に示す。なお、冷却終了後は、約３分で腎交感神経の温度が回復している。
【００４３】
図４（ａ）および（ｂ）に示すように、冷却後は、冷却前と比べて、腎交感神経活動波形の振幅が小さくなっており、腎交感神経の冷却により交感神経活動が抑制されていることが確認できる。このように、腎交感神経制御装置１０で腎交感神経の冷却を行うことにより、腎動脈３の緊張をほぐして血管を拡張させ、血圧を下げることができ、高血圧等の治療を効果的に行うことができるといえる。
【符号の説明】
【００４４】
１  神経束
２  腹部大動脈
３  腎動脈
４  腎臓
５  尿管
１０  腎交感神経制御装置
１１  冷却手段
２１  ペルチェ素子
２２  冷却部
２３  加熱部
２４  神経束用溝
２５  冷却面
２６  動脈用溝
２７  加熱面
１２  駆動手段
２８  １次コイル
２９  ２次コイル
【図１】
2014018508.tif 000003
【図２】
2014018508.tif 000004
【図３】
2014018508.tif 000005
【図４】
2014018508.tif 000006